(57)【特許請求の範囲】
【請求項１】
相手側端子と接続される端子接続部と、
電線の端末に接続された電線接続部と、
前記端子接続部と前記電線接続部の間に設けられ、これらを連結してなる首部とを備え、
この首部は、前記端子接続部と前記電線接続部に共用となる下壁と、この下壁の両側縁から上方に立ち上がる一対の側壁と、一方の前記側壁の上縁から他方の前記側壁に向けて延出された補強壁と、この補強壁の延出端に設けられた突起と、前記他方の側壁に開口して設けられ、前記突起が嵌合する開口部とを備えて構成され、
前記補強壁の延出端のうち前記突起の両側部分は、前記他方の側壁に当接可能な突当部とされていることを特徴とする端子金具。
【請求項２】
前記補強壁は、前記一方の側壁の上縁から前記下壁に向けて下方に折り返された折り返し部と、この折り返し部の下端から前記下壁と対向して前記他方の側壁に延出された対向壁とからなり、前記開口部は、前記他方の側壁に貫通して設けられた貫通孔であることを特徴とする請求項１に記載の端子金具。
【請求項３】
前記補強壁は、前記一方の側壁の上縁から前記他方の側壁の上縁に向けて前記下壁と対向状態をなして延出された対向壁とされ、前記開口部は、前記他方の側壁の上縁を切り欠くことで形成された切り欠き部とされていることを特徴とする請求項１に記載の端子金具。
【発明の詳細な説明】
【技術分野】
【０００１】
本発明は、端子金具に関する。
【背景技術】
【０００２】
従来、相手側端子と接続される端子接続部と、電線の端末に接続された電線接続部と、端子接続部と電線接続部をつなぐ首部とを備えた端子金具として、下記特許文献１に記載のものが知られている。
【先行技術文献】
【特許文献】
【０００３】
【特許文献１】特開２００６−２２８７５９号公報
【発明の概要】
【発明が解決しようとする課題】
【０００４】
上記の端子金具において、母材となる金属平板の板厚を低減した場合、首部の強度が低下してしまう。また、首部は、端子接続部と電線接続部をつなぐ形状とされているため、使用する電線が細線化するに伴って電線接続部も小さくなり、これに伴って首部が小さくなる結果、やはり首部の強度が低下してしまう。そして、首部の強度が低下すると、首部の前後両側で端子金具が変形しやすくなる。具体的には図１１に示すように、首部１の前側に配置された端子接続部２と首部１の後側に配置された電線接続部３とが相対的に平行移動することでオフセットされた状態となり、首部１の両側壁４，４が座屈して首部１が変形する。
【０００５】
本発明は上記のような事情に基づいて完成されたものであって、首部の強度を高めて首部の変形を防止することを目的とする。
【課題を解決するための手段】
【０００６】
本発明は、相手側端子と接続される端子接続部と、電線の端末に接続された電線接続部と、端子接続部と電線接続部の間に設けられ、これらを連結してなる首部とを備え、この首部は、端子接続部と電線接続部に共用となる下壁と、この下壁の両側縁から上方に立ち上がる一対の側壁と、一方の側壁の上縁から他方の側壁に向けて延出された補強壁と、この補強壁の延出端に設けられた突起と、他方の側壁に開口して設けられ、突起が嵌合する開口部とを備えて構成され、補強壁の延出端のうち突起の両側部分は、他方の側壁に当接可能な突当部とされている構成としたところに特徴を有する。
【０００７】
このような構成によると、補強壁の突起が開口部に嵌合しているため、両側壁が互いに位置ずれするようにして首部が変形することを規制できる。また、両突当部が他方の側壁に当接することにより、両側壁が近づくようにして首部が変形することを規制できる。このようにすれば、首部の強度を高めて首部の変形を防止できるため、母材となる金属平板の板厚の低減に対応できるとともに、電線の細線化にも対応できる。
【０００８】
本発明の実施の態様として、以下の構成が好ましい。
補強壁は、一方の側壁の上縁から下壁に向けて下方に折り返された折り返し部と、この折り返し部の下端から下壁と対向して他方の側壁に延出された対向壁とからなり、開口部は、他方の側壁に貫通して設けられた貫通孔である構成としてもよい。
このような構成によると、対向壁が両側壁の上縁よりも下方に配置されているため、端子接続部の後端に係止するリテーナと対向壁が干渉することを回避できる。
【０００９】
補強壁は、一方の側壁の上縁から他方の側壁の上縁に向けて下壁と対向状態をなして延出された対向壁とされ、開口部は、他方の側壁の上縁を切り欠くことで形成された切り欠き部とされている構成としてもよい。
このような構成によると、首部を成形するにあたって複雑なプレス加工が不要となるため、首部を形成しやすくなる。
【発明の効果】
【００１０】
本発明によれば、首部の強度を高めて首部の変形を防止することができる。
【図面の簡単な説明】
【００１１】
【図１】実施形態１における端子金具の斜視図
【図２】端子金具の平面図
【図３】図２におけるＡ−Ａ線断面図
【図４】図２におけるＢ−Ｂ線断面図
【図５】首部より後方部分の展開状態を示す平面図
【図６】実施形態２における端子金具の斜視図
【図７】端子金具の平面図
【図８】図７におけるＣ−Ｃ線断面図
【図９】図７におけるＤ−Ｄ線断面図
【図１０】首部より後方部分の展開状態を示す平面図
【図１１】従来の端子金具において首部が変形した様子を示した斜視図
【発明を実施するための形態】
【００１２】
＜実施形態１＞
本発明の実施形態１を図１ないし図５の図面を参照しながら説明する。本実施形態における端子金具は雌側端子金具１１であって、図１に示すように、相手側の雄側端子金具（図示せず）に接続される端子接続部２０、電線Ｗの端末に接続される電線接続部３０などを備えて構成されている。なお、以下の説明において電線Ｗが接続される側を後側とし、その逆側（相手側の雄側端子金具が接続される側）を前側とし、上下方向および左右方向については図３を基準とする。
【００１３】
端子接続部２０は、雌側端子金具１１の前部に設けられており、前後両方向に開放する略角筒状をなしている。また、端子接続部２０の後方には、首部４０が連設されている。さらに、首部４０の後方には、電線接続部３０が連設されている。本実施形態の雌側端子金具１１は、端子接続部２０、首部４０、および電線接続部３０に共通となる下壁１１Ｌを有している。
【００１４】
電線接続部３０は、電線Ｗの端末にて被覆を皮剥きすることで露出された芯線に圧着される一対のワイヤバレル（以下「両ワイヤバレル」というものとする）３１，３１、芯線に連なる被覆の端末に圧着される一対のインシュレーションバレル（以下「両インシュレーションバレル」というものとする）３２，３２などを備えて構成されている。両インシュレーションバレル３２，３２は、両ワイヤバレル３１，３１の後方に配されている。圧着前における両ワイヤバレル３１，３１は、下壁１１Ｌの両側縁から対向状態をなして立ち上げられており、圧着前における両インシュレーションバレル３２，３２は、下壁１１Ｌの両側縁から対向状態をなして立ち上げられている。
【００１５】
端子接続部２０は、略角筒状に形成されている。この端子接続部２０は、下壁１１Ｌ、下壁１１Ｌの両側縁から対向状態をなして上方に立ち上がる一対の側壁１１Ｓ，１１Ｓ、一方の側壁１１Ｓの上縁から他方の側壁１１Ｓの上縁に向けて互いに延出された上下一対の上壁１１Ｕ，１１Ｕ、下側の上壁１１Ｕの右側縁から側壁１１Ｓの内面に沿って下方に延出された内側壁１１Ｅなどを備えて構成されている。端子接続部２０の内部には、弾性接触片（図示せず）が設けられており、下側の上壁１１Ｕには、接触部２１が下方に打ち出し形成されている。弾性接触片と接触部２１の間に雄側端子金具が挟持されることで、両端子金具１１が導通可能に接続される。
【００１６】
上側の上壁１１Ｕの上面後端には、スタビライザ２２が突設されている。このスタビライザ２２は、上壁１１Ｕの左側縁から上方に立ち上がる形態とされている。雌側端子金具１１が収容されるキャビティ（図示せず）の内壁には、スタビライザ２２が嵌り込む溝部（図示せず）が凹設されている。スタビライザ２２が溝部に嵌り込むことで、雌側端子金具１１の挿入時の姿勢を安定させることができ、もって雌側端子金具１１の円滑な挿入動作が実現されている。なお、上側の上壁１１Ｕの中央には、窓部２３が切り欠き形成されており、窓部２３の前端縁には、キャビティの内壁に形成されたランスに係止する係止部２４が突設されている。
【００１７】
首部４０は、下壁１１Ｌの両側縁から立ち上がる一対の側壁４１，４１を備えており、この側壁４１は、電線接続部３０側から端子接続部２０側に向けて次第に高さが増すように形成されている。側壁４１の後端は、ワイヤバレル３１に連結され、側壁４１の前端は、端子接続部２０の側壁１１Ｓに連結されている。また、両側壁４１，４１は、図２に示すように、平行に配置されており、かつ、端子接続部２０の両側壁１１Ｓ，１１Ｓに対してほぼ面一をなす配置とされている。
【００１８】
左側の側壁４１の上縁には、図３に示すように、右側の側壁４１を向くようにして下方に折り返された折り返し部４２が連設されている。この折り返し部４２は、一方の側壁４１に対してほぼ密着曲げされた状態とされている。また、折り返し部４２の下端には、下壁１１Ｌと対向状態をなして右方に延びる対向壁４３が設けられている。この対向壁４３は平面状をなし、下壁１１Ｌよりも上方であって、右側の側壁４１の上縁よりも下方に配されている。
【００１９】
対向壁４３の延出端（右端）には、突起４４が突出して形成されている。一方、右側の側壁４１には、突起４４が嵌合する貫通孔４５が貫通して形成されている。このため、対向壁４３が右側の側壁４１に対して上下方向および前後方向に移動することが規制されている。また、対向壁４３の延出端における突起４４の両側は、図２および図４に示すように、右側の側壁４１の内面に当接する一対の突当部４６，４６とされている。このため、両側壁４１，４１が互いに近づく方向（左右方向）に移動することが規制されている。このように、突起４４が貫通孔４５に嵌合し、かつ、両突当部４６，４６が側壁４１の内面に当接した状態では、首部４０の両側壁４１，４１が斜め方向に傾くように座屈して首部４０が変形することを規制できる。
【００２０】
次に、上記のように構成された雌側端子金具１１の作用および効果について説明する。図５に示すように、母材となる金属平板に打ち抜き加工を施すことで展開状態における雌側端子金具１１を形成する。この雌側端子金具１１に対して折り曲げ加工を施して突起４４を貫通孔４５に嵌合させるとともに両突当部４６，４６を側壁４１の内面に当接させることによって図１に示す雌側端子金具１１を形成する。このような雌側端子金具１１は、予め帯状のキャリアＣに複数個が連結された状態で加工され、各雌側端子金具１１がキャリアＣから切り離された後に、予め端部にて被覆が皮剥きされた電線Ｗを電線接続部３０の下壁１１Ｌ上に載置し、各バレル３１，３２をかしめ付けることによって、電線Ｗと雌側端子金具１１を接続しておく。
【００２１】
次に、雌側端子金具１１をキャビティに挿入し、正規の組付位置まで押し込むことにより、ランスが係止部２４に対して弾性的に係止することによって、雌側端子金具１１がキャビティに抜け止め状態に保持される。その後、リテーナ（図示せず）を本係止位置まで押し込んで首部４０に嵌め込み、端子接続部２０の後端にリテーナを係止させることにより、雌側端子金具１１がランスとリテーナによって二重に抜け止めされる。その後、雄側端子金具が端子接続部２０に前方から挿入されると、弾性接触片と接触部２１の間に雄側端子金具が挟持されて導通可能に接続される。
【００２２】
以上のように本実施形態では、対向壁４３の突起４４を側壁４１の貫通孔４５に嵌合させ、両突当部４６，４６を側壁４１の内面に当接させることにより、首部４０の変形を規制できる。一方の側壁側に折り返し部が設けられているため、一方の側壁に対して対向壁が変形することを規制できる。したがって、母材となる金属平板の板厚の低減に対応できるとともに、電線Ｗの細線化にも対応できる。また、対向壁４３が両側壁４１，４１の上縁よりも下方に配置されているため、端子接続部２０の後端に係止するリテーナと対向壁４３が干渉することを回避できる。また、対向壁４３を両側壁４１，４１の上縁よりも下方に配置したから、リテーナを首部４０に嵌め込んだ際にリテーナと対向壁４３が干渉することを回避できる。
【００２３】
＜実施形態２＞
次に、本発明の実施形態２を図６ないし図１０の図面を参照しながら説明する。本実施形態における雌側端子金具１２は、実施形態１の雌側端子金具１１の首部４０の構成を変更したものであって、その他の構成については実施形態１と同じである。このため、実施形態１と同じ構成については実施形態１と同一の符号を用いるものとし、実施形態１と同じ構成、作用、および効果については実施形態１と重複するため、その説明を省略する。
【００２４】
本実施形態の首部５０は、図６に示すように、下壁１１Ｌと、下壁１１Ｌの両側縁から上方に立ち上がる一対の側壁５１，５１と、左側の側壁５１の上縁から右側の側壁５１の上縁に向けて右方に延出された対向壁５２とを備えて構成されている。対向壁５２は平面状をなし、下壁１１Ｌと対向状態で配され、両側壁５１，５１の上縁と同じ高さに揃えられている。対向壁５２の延出端（右端）には、突起５３が設けられている。この突起５３は前後方向に長い形態をなし、対向壁５２のほぼ全域に亘って設けられている。対向壁５２の延出端における突起５３の両側には、一対の突当部５４，５４が設けられている。
【００２５】
一方、右側の側壁５１の上縁には、切り欠き部５５が上方に開口する形態で切り欠き形成されている。この切り欠き部５５には、突起５３が嵌り込むようになっており、切り欠き部５５に突起５３が嵌合すると、両突当部５４，５４が右側の側壁５１の内面に当接するようになっている。これにより、首部５０の変形が規制される。このように本実施形態によると、対向壁５２を左側の側壁５１の上縁で直角に折り曲げるだけで形成できるため、首部５０を成形するにあたって複雑なプレス加工が不要となり、首部５０を形成しやすくなる。
【００２６】
＜他の実施形態＞
本発明は上記記述及び図面によって説明した実施形態に限定されるものではなく、例えば次のような実施形態も本発明の技術的範囲に含まれる。
（１）上記実施形態では端子金具として雌側端子金具を例示しているものの、本発明によると、雄側端子金具に適用してもよい。
【００２７】
（２）実施形態１では凹部として貫通孔４５を例示しているものの、本発明によると、側壁４１の内側から外側に叩き出して形成された有底の凹部に突起４４を嵌合させてもよい。
【００２８】
（３）実施形態２では前後方向に長い突起５３を例示しているものの、本発明によると、実施形態１と同程度の前後長で突起を形成してもよい。
【符号の説明】
【００２９】
１１，１２…雌側端子金具
１１Ｌ…下壁
２０…端子接続部
３０…電線接続部
４０…首部
４１…側壁
４２…折り返し部
４３…対向壁
４４…突起
４５…貫通孔
４６…突当部
５０…首部
５１…側壁
５２…対向壁
５３…突起
５４…突当部
５５…切り欠き部
Ｗ…電線
【図１】
0005565633.tif 000002
【図２】
0005565633.tif 000003
【図３】
0005565633.tif 000004
【図４】
0005565633.tif 000005
【図５】
0005565633.tif 000006
【図６】
0005565633.tif 000007
【図７】
0005565633.tif 000008
【図８】
0005565633.tif 000009
【図９】
0005565633.tif 000010
【図１０】
0005565633.tif 000011
【図１１】
0005565633.tif 000012